(57)【要約】【課題】一台の装置で複数のユーザが画像の選択を行う場合に、それらのユーザが各々、自分の分の画像の選択を同時且つ好適に行えるようにした画像処理装置及び画像選択方法を提供する。【解決手段】  本発明が適用されるプリント注文装置は、モニタ１２にタッチパネル３８が設置されており、プリントする画像を選択する画像選択画面において、複数のユーザが各々プリントした画像の表示部分をタッチすると、その操作をタッチパネル３２により検出すると共に、ユーザ識別用センサ４２により操作したユーザを識別する。そして、操作したユーザのプリント注文としてその画像をプリント指定された画像する。これによって、複数のユーザが各々自分の注文としてプリント注文を同時に行うことができる。また、ユーザごとのプリント出力や料金の表示などが行われ、プリントを仕分ける作業や各ユーザが支払うべき料金の計算などを行う必要がない。【選択図】  図２
2009244725.tif 000002
【特許請求の範囲】
【請求項１】
各種情報を表示するモニタと、
ユーザが入力操作を行うための入力手段と、
前記入力手段により入力操作を行ったユーザを識別する識別手段と、
画像を読み込む画像読込手段と、
前記入力手段による入力操作に従って、前記画像読込手段により読み込まれた画像の中から所定の処理対象とする画像を選択する画像選択手段であって、画像を選択するための入力操作を行った複数のユーザを前記識別手段により識別し、該画像を選択するための入力操作を行ったユーザごとに前記処理対象とする画像を選択する画像選択手段と、
前記画像選択手段によって選択された画像を前記処理対象とした処理を実行する処理手段と、
を備えたことを特徴とする画像処理装置。
【請求項２】
前記ユーザごとに選択された画像を前記処理対象とした処理をユーザごとに分割して実行させることを特徴とする請求項１の画像処理装置。
【請求項３】
所定のユーザによって選択された画像に関する入力操作時において、該所定のユーザ以外のユーザによる入力操作を無効又は一定の操作内容に制限することを特徴とする請求項１、又は、２の画像処理装置。
【請求項４】
各ユーザが入力操作を別々に行う必要がある場合に、一部のユーザに関して既に入力されている情報を、現在使用されていない他の画像処理装置に送信し、該一部のユーザの入力操作を他の画像処理装置において実行させることを特徴とする請求項１、２、又は、３の画像処理装置。
【請求項５】
複数のユーザによる操作を、ユーザごとに取り消すことを可能としたことを特徴とする請求項１，２，３、又は、４の画像処理装置。
【請求項６】
前記入力手段として、前記モニタの画面に設置され、前記モニタの画面に対するタッチ操作を検出するタッチパネルを備えたことを特徴とする請求項１、２、３、４、又は、５の画像処理装置。
【請求項７】
前記処理手段は、前記画像選択手段によって選択された画像のプリント注文を受け付ける処理であることを特徴とする請求項１、２、３，４，５、又は、６の画像処理装置。
【請求項８】
各種情報を表示するモニタと、ユーザが入力操作を行うための入力手段と、前記入力手段により入力操作を行ったユーザを識別する識別手段と、画像を読み込む画像読込手段と、前記入力手段による入力操作に従って、前記画像読込手段により読み込まれた画像の中から所定の処理対象とする画像を選択する画像選択手段と、前記画像選択手段によって選択された画像を前記処理対象とした処理を実行する処理手段と、を備えた画像処理装置における画像選択方法であって、
画像選択手段による画像の選択時において、画像を選択するための入力操作を行った複数のユーザを前記識別手段により識別し、該画像を選択するための入力操作を行ったユーザごとに前記処理対象とする画像を選択することを特徴とする画像選択方法。
【請求項９】
前記ユーザごとに選択された画像を前記処理対象とした処理をユーザごとに分割して実行させることを特徴とする請求項８の画像選択方法。
【請求項１０】
所定のユーザによって選択された画像に関する入力操作時において、該所定のユーザ以外のユーザによる入力操作を無効又は一定の操作内容に制限することを特徴とする請求項８、又は、９の画像選択方法。
【請求項１１】
各ユーザが入力操作を別々に行う必要がある場合に、一部のユーザに関して既に入力されている情報を、現在使用されていない他の画像処理装置に送信し、該一部のユーザの入力操作を他の画像処理装置において実行させることを特徴とする請求項８、９、又は、１０の画像選択方法。
【請求項１２】
複数のユーザによる操作を、ユーザごとに取り消すことを可能としたことを特徴とする請求項８、９、１０、又は、１１の画像選択方法。
【請求項１３】
前記入力手段として、前記モニタの画面に設置され、前記モニタの画面に対するタッチ操作を検出するタッチパネルを備えたことを特徴とする請求項８、９、１０、１１、又は、１２の画像選択方法。
【請求項１４】
前記処理手段は、前記画像選択手段によって選択された画像のプリント注文を受け付ける処理であることを特徴とする請求項８、９、１０、１１、１２、又は、１３の画像選択方法。
【発明の詳細な説明】
【技術分野】
【０００１】
本発明は画像処理装置及び画像選択方法に係り、特にテジタル画像のプリント注文装置等に適用される画像処理装置及び画像選択方法に関する。
【背景技術】
【０００２】
現在、デジタルカメラ等で撮影したデジタル画像を、ＤＰＥ店やラボ店の店舗内や店頭、各種商業施設内等に配備されたプリント注文装置でプリント注文、又は、プリントを行えるようにしたプリントサービスが提供されている。
【０００３】
これによれば、プリント注文者（ユーザ）が、プリントしたい画像が保存されている記録媒体（メモリカード等）をプリント注文装置に装填し、又は、そのような記録媒体が装填又は内蔵されているデジタルカメラや携帯電話を接続すると、モニタに注文案内画面が表示される。そして、注文案内画面に従って、プリント指定する画像を選択、プリントサイズやプリント枚数の指定等の注文情報の入力を行う。注文操作が完了すると、プリント指定した画像が、店舗内等のプリンタに送られてプリントされ、又は、プリント注文装置に組み込まれたプリント装置でプリントされ、料金との引き換えにプリントされた写真がユーザに引き渡される。
【０００４】
また、上記のようなプリント注文装置のモニタにはタッチパネルが設置されており、注文情報の入力は、モニタ画面に対するタッチ操作で行えるようにしたものが一般的である。
【０００５】
特許文献１には、複数箇所の指示位置を同時検出可能なマルチタッチパネルでの複数箇所のタッチ操作により、ゲームに登場するキャラクタの制御を行う技術が提案されている。
【０００６】
特許文献２には、タッチパネルに触れた指の指紋を検出することにより、異なる指、又は、複数の人の入力操作を識別できるようにしたものが提案されている。
【特許文献１】特開２００６−３４７５４号公報
【特許文献２】特開２００７−８９７３２号公報
【発明の開示】
【発明が解決しようとする課題】
【０００７】
ところで、プリント注文装置は、一人ずつプリント注文を受け付けるようになっており、一台の装置で複数のユーザがプリント注文を行う場合、それらのユーザが各々自分の注文として同時にプリント注文を行うことができないという問題がある。
【０００８】
即ち、このような場合、一人ずつ順番にプリント注文を行うか、又は、一人のユーザが自分の注文として他の人の分もプリント注文を行う必要がある。
【０００９】
一人ずつ順番にプリント注文を行うと、共通の画像の中からプリントする画像を選択するプリント注文であるにもかかわらず、プリント注文に必要な全ての操作を各ユーザが別々に行わなければならないため、無駄な手間と時間を要するという問題がある。
【００１０】
一方、一人のユーザが自分の注文として他の人の分もプリント注文を行う場合、各ユーザが勝手に入力操作を行うと混乱が生じてしまうという問題がある。また、プリント注文情報を入力している途中で、各ユーザが自分のプリント指定した画像と、プリント指定していない画像とを把握できなくなり、プリント注文情報の修正を行った場合等に出来上がったプリントのプリント枚数が合わない等などの不測の事態が生じる可能性が高くなる。更に、一人のユーザの注文としてプリントが作成されるため、全員の分のプリントに要した合計金額しか把握できず、各人が支払うべき料金を自分達で計算しなければならないという問題や、受け取ったプリントを各ユーザごとに仕分ける作業も必要になるという問題もある。
【００１１】
本発明は、このような事情に鑑みてなされたもので、一台の装置で複数のユーザが画像の選択を行う場合に、それらのユーザが各々、自分の分の画像の選択を同時且つ好適に行えるようにした画像処理装置及び画像選択方法を提供することを目的とする。
【課題を解決するための手段】
【００１２】
前記目的を達成するために、請求項１に係る画像処理装置は、各種情報を表示するモニタと、ユーザが入力操作を行うための入力手段と、前記入力手段により入力操作を行ったユーザを識別する識別手段と、画像を読み込む画像読込手段と、前記入力手段による入力操作に従って、前記画像読込手段により読み込まれた画像の中から所定の処理対象とする画像を選択する画像選択手段であって、画像を選択するための入力操作を行った複数のユーザを前記識別手段により識別し、該画像を選択するための入力操作を行ったユーザごとに前記処理対象とする画像を選択する画像選択手段と、前記画像選択手段によって選択された画像を前記処理対象とした処理を実行する処理手段と、を備えたことを特徴としている。
【００１３】
本発明によれば、所定の処理対象とする画像の選択を複数のユーザが自分の処理対象として同時に行うことができるようになる。
【００１４】
請求項２に係るプリント画像処理装置は、請求項１に記載の発明において、前記ユーザごとに選択された画像を前記処理対象とした処理をユーザごとに分割して実行させることを特徴としている。
【００１５】
本発明によれば、ユーザごとに分割して処理を実行させることによって、例えば、その後の処理やユーザへのサービスをユーザごとに行うことが可能となる
請求項３に係る画像処理装置は、請求項１、又は、２に記載の発明において、所定のユーザによって選択された画像に関する入力操作時において、該所定のユーザ以外のユーザによる入力操作を無効又は一定の操作内容に制限することを特徴としている。
【００１６】
本発明によれば、所定のユーザが選択した画像に関する入力操作時に他のユーザが操作してしまうことによる混乱を防止することができる。
【００１７】
請求項４に係る画像処理装置は、請求項１、２、又は、３に記載の発明において、各ユーザが入力操作を別々に行う必要がある場合に、一部のユーザに関して既に入力されている情報を、現在使用されていない他の画像処理装置に送信し、該一部のユーザの入力操作を他の画像処理装置において実行させることを特徴としている。
【００１８】
本発明によれば、操作時間を短縮することができる。
【００１９】
請求項５に係る画像処理装置は、請求項１、２，３、又は、４に記載の発明において、複数のユーザによる操作を、ユーザごとに取り消すことを可能としたことを特徴としている。
【００２０】
本発明によれば、他のユーザの操作を無駄にすることなく、各ユーザが自己の操作の取消しを行うことができるようになる。
【００２１】
請求項６に係る画像処理装置は、請求項１、２，３、４、又は、５に記載の発明において、前記入力手段として、前記モニタの画面に設置され、前記モニタの画面に対するタッチ操作を検出するタッチパネルを備えたことを特徴としている。
【００２２】
本発明は、入力装置の一例を示したものである。
【００２３】
請求項７に係る画像処理装置は、請求項１、２，３、４、５、又は、６に記載の発明において、前記処理手段は、前記画像選択手段によって選択された画像のプリント注文を受け付ける処理であることを特徴としている。
【００２４】
本発明は、本発明に係る画像処理装置が、プリント注文を行うためのプリント注文装置に適用される態様を示したものである。
【００２５】
請求項８に係る画像選択方法は、各種情報を表示するモニタと、ユーザが入力操作を行うための入力手段と、前記入力手段により入力操作を行ったユーザを識別する識別手段と、画像を読み込む画像読込手段と、前記入力手段による入力操作に従って、前記画像読込手段により読み込まれた画像の中から所定の処理対象とする画像を選択する画像選択手段と、前記画像選択手段によって選択された画像を前記処理対象とした処理を実行する処理手段と、を備えた画像処理装置における画像選択方法であって、画像選択手段による画像の選択時において、画像を選択するための入力操作を行った複数のユーザを前記識別手段により識別し、該画像を選択するための入力操作を行ったユーザごとに前記処理対象とする画像を選択することを特徴としている。
【００２６】
請求項９に係る画像選択方法は、請求項８に記載の発明において、前記ユーザごとに選択された画像を前記処理対象とした処理をユーザごとに分割して実行させることを特徴としている。
【００２７】
請求項１０に係る画像選択方法は、請求項８、又は、９に記載の発明において、所定のユーザによって選択された画像に関する入力操作時において、該所定のユーザ以外のユーザによる入力操作を無効又は一定の操作内容に制限することを特徴としている。
【００２８】
請求項１１に係る画像選択方法は、請求項８、９、又は、１０に記載の発明において、各ユーザが入力操作を別々に行う必要がある場合に、一部のユーザに関して既に入力されている情報を、現在使用されていない他の画像処理装置に送信し、該一部のユーザの入力操作を他の画像処理装置において実行させることを特徴としている。
【００２９】
請求項１２に係る画像選択方法は、請求項８、９、９、１０、又は、１１に記載の発明において、複数のユーザによる操作を、ユーザごとに取り消すことを可能としたことを特徴としている。
【００３０】
請求項１３に係る画像選択方法は、請求項８、９、９、１０、１１、又は、１２に記載の発明において、前記入力手段として、前記モニタの画面に設置され、前記モニタの画面に対するタッチ操作を検出するタッチパネルを備えたことを特徴としている。
【００３１】
請求項１４に係る画像選択方法は、請求項８、９、９、１０、１１、又は、１２に記載の発明において、前記処理手段は、前記画像選択手段によって選択された画像のプリント注文を受け付ける処理であることを特徴としている。
【００３２】
請求項８〜１４に係る発明は、請求項１〜７に係る画像処理装置に対応する方法の発明であり、それらと同様の作用、効果を奏する。
【発明の効果】
【００３３】
本発明によれば、一台の装置で複数のユーザが画像の選択を行う場合に、それらのユーザが各々、自分の分の画像の選択を同時且つ好適に行えるようになる。
【発明を実施するための最良の形態】
【００３４】
以下、添付図面に従って本発明に係る画像処理装置及び画像選択方法を実施するための最良の形態について詳説する。
【００３５】
図１は本発明が適用されたプリント注文装置の実施の形態を示す外観図である。同図に示すように、本実施形態のプリント注文装置１０は、プリント注文のための各種表示を行うとともに、各種入力を受け付けるタッチパネル式のモニタ１２と、各種メディアおよび画像が記録されたメディアを内包するデジタルカメラを装填するための複数のスロット１４Ａ〜１４Ｆとを備え、画像をプリント出力するプリンタ１６と接続されている。なお、図１においては、プリンタ１６はプリント注文装置１０ に直接接続されているが、プリンタ１６がプリント注文装置１０とは別の場所にあって、ネットワークや別の手段等によりプリンタ１６がプリント注文装置１０と接続されていてもよい。また、スロット１４Ａは、メディアを内包するデジタルカメラ用のスロットである。
【００３６】
図２は上記プリント注文装置１０の信号処理系のブロック図である。同図に示すように、本実施形態のプリント注文装置１０は、プリント注文装置１０の動作を制御するためのＣＰＵ３０と、ＣＰＵ３０が実行するプログラムを格納するＲＯＭおよび作業領域となるＲＡＭからなるシステムメモリ３２と、メディアから読み出した画像を一時的に保存するハードディスク等の保存部３４とを備える。なお、保存部１３に保存された画像は、保存から一定期間経過後に保存部３４から消去される。
【００３７】
また、上述したモニタ１２と、モニタ１２の表示を制御する表示制御部３６と、モニタ１２を介しての各種入力を行うためのタッチパネル３８と、タッチパネル３８を制御するタッチパネル制御部４０と、タッチパネル３８にタッチしたユーザを識別するユーザ識別用センサ４２と、スロット１４Ａ〜１４Ｆのそれぞれに対応したインターフェース４４Ａ〜４４Ｆと、プリンタ１６を接続するためのコネクタ４６と、コネクタ４６に接続した出力インターフェース４８とを備えている。
【００３８】
図３は上記プリント注文装置１０でのプリント注文の一連の手順を例示したフローチャートである。
【００３９】
まず、ユーザ（プリント注文者）が、プリントしたい画像（画像データ）が記録されている所定のメディア又はそのメディアが装填されているデジタルカメラを対応するスロット１４Ａ〜１４Ｆに装着すると、そのスロットに対応したインターフェース４４Ａ〜４４Ｆを介してメディア内の画像（以下、撮影画像という）が保存部３４に読み込まれる（ステップＳ１０）。そして、保存部３４に読み込まれた保存画像のサムネイル(縮小画像)の一覧が表示制御部３６を介してモニタ１２に表示され、プリントする撮影画像を選択する画像選択画面が図４のように表示される。図４において符号５０、５０、…が撮影画像（撮影画像のサムネイル）を示す。ここで、ユーザは、プリントする撮影画像を選択する（ステップＳ１２）。また、本実施の形態では、プリント指定した撮影画像に関するプリントサイズやプリント枚数などの詳細なプリント注文情報の入力は、この画像選択画面での選択を完了した後に行われる。
【００４０】
次に、ユーザは、プリント指定した撮影画像を出力する商材を選択する（ステップＳ１４）。例えば、プリント指定した撮影画像を単にフォト用紙にプリントするサービスの他に、プリント指定した撮影画像を所望のフレーム画像（テンプレート画像）と合成してフォト用紙にプリントするサービスや、フォトブック用の用紙にプリント指定した画像をプリントするサービス等があり、ユーザはどのサービス（商材）を希望するかを選択する。そして、選択したサービスに応じて表示される注文案内画面に従って必要な情報を入力する。
【００４１】
プリント注文装置１０は、プリント指定された各撮影画像を出力インターフェース４８を介してコネクタ４６に接続されたプリンタ１６に出力し、ユーザが入力したプリント注文内容に応じたプリントをプリンタ１６に実施させる（ステップＳ１６）。
【００４２】
次に、プリントする画像を選択する画像選択の実施の形態について説明する。図３の画像選択（ステップＳ１２）において、プリント注文装置１０のＣＰＵ３０は、表示制御部３６を介してモニタ１２に、図４のような画像選択画面を表示させる。この画像選択画面には、メディアに記録保存されている撮影画像のサムネイルの一覧が表示される。
【００４３】
その画像選択画面において、ユーザがいずれかの撮影画像の表示部分にタッチすると、そのタッチした位置がモニタ１２の画面表面に設置されたタッチパネル３８と、その制御部であるタッチパネル制御部４０により検出され、その位置を示す信号がＣＰＵ３０に与えられる。
【００４４】
ＣＰＵ３０は、モニタ１２に表示させた各撮影画像の位置と、タッチパネル３８のタッチされた位置との関係からどの撮影画像が選択されたかを判断し、タッチされた撮影画像をプリントする画像として設定する。尚、既にプリント指定された撮影画像を再度タッチするとプリント指定が解除される。また、プリント指定された撮影画像のフレームが例えばプリント指定されていない撮影画像と異なる色のフレームで表示され、プリント指定された撮影画像とプリント指定されていない撮影画像とが識別可能に表示される。
【００４５】
このように、ユーザは、モニタ１２に表示された画像選択画面においてプリントしたい撮影画像の表示部分をタッチすることによって、プリントする画像を選択することができるようになっている。
【００４６】
また、本実施の形態のプリント注文装置１０では、複数のユーザが各々自分のプリント注文としてプリントする撮影画像を選択することができるようになっており、モニタ１２の画面を誰がタッチしたかをユーザ識別用センサ４２によって識別できるようになっている。
【００４７】
ユーザ識別用センサ４２の例として、「背景技術」の欄で例示した特許文献２（特開２００７−８９７３２号公報）の技術を適用することができる。即ち、画面にタッチした指の指紋を検出する。
【００４８】
これによれば、いずれかのユーザが画面をタッチした場合に、ユーザ識別用センサ４２によりそのときの指紋が検出され、その指紋が初めて検出されたものであれば、その指紋が一人のユーザのものとして記憶されると共に、そのユーザが一人のプリント注文者として登録される。
【００４９】
一方、ユーザ識別用センサ４２により検出された指紋が既に記憶されている指紋と一致すれば、そのタッチ操作が、記憶されている指紋のユーザによるものと判断される。これによって、いずれかのユーザが画面をタッチした場合にそのユーザが識別される。
【００５０】
尚、ユーザごとのプリント注文内容等を表示するため、また、ユーザ自身がプリント注文装置１０においてどのユーザとして認識されたかを把握するために、ユーザを登録した際に、そのユーザに適当なユーザ名（仮名：例えば、Ａさん、Ｂさん、Ｃさん等の仮名）を割り当て、ユーザに通知しておくとよい。
【００５１】
また、プリント注文の操作を開始する前に、プリント注文を行う予定の全てのユーザに順に画面をタッチするように指示し、各ユーザの指紋を記憶すると共に、各ユーザに適当なユーザ名を割り当てて通知しておくようにしてもよい。
【００５２】
ユーザ識別用センサ４２の他の例として、プリント注文を行う予定の各ユーザがモニタ１２の画面をタッチしたときに、そのユーザに微弱電流が流れるようにしておき、その微弱電流が流れたユーザを検出するようにしておく方法が考えられる。例えば、微弱電流が流れる閉回路の一部がモニタ１２の画面にタッチしたユーザとなるような検出回路をユーザごとに構成し、ユーザが画面にタッチしていないときには、その検出回路が開放され、電流が流れないようにしておく。即ち、モニタ１２の画面を各検出回路の一方の電極とし、他方の電極を各ユーザの体の一部（画面を操作する手以外の部分）に接続しておく。例えば、プリント注文装置１０等の任意の部分に検出回路ごとの電極を設けておき、各ユーザに対して各々、別の電極を画面を操作する手と反対の手で触れるように指示しておくようにしてもよいし、ユーザが座る椅子の各々に各検出回路の電極を設けておき、ユーザが椅子に座ったときにその電極がユーザに接続されるようにしておいてもよい。
【００５３】
そして、モニタ１２の画面をいずれかのユーザがタッチし、そのユーザを一部とする検出回路に微弱電流が流れたときに、微弱電流が流れた検出回路を特定することによって、画面をタッチしたユーザを識別することができる。
【００５４】
尚、ユーザごとのプリント注文内容等を表示するため、また、ユーザ自身がプリント注文装置１０においてどのユーザとして認識されたかを把握するために、ユーザに常時接続される電極に適当なユーザ名（仮名：例えば、Ａさん、Ｂさん、Ｃさん）を割り当てておき、ユーザがそのユーザ名が分かるようにしておくとよい。
【００５５】
また、上記のようにユーザが画面をタッチしたときに人体に微弱電流を流すようにするのではなく、ユーザ名を付したボタンを複数設けて、各ユーザが自分のユーザ名を決めて、各ユーザが画面をタッチする際に自分のユーザ名のボタンを押すようにしてもよい。ユーザ識別用センサ４２は、そのボタンのオン／オフを検出するものとし、画面がタッチされたときにどのボタンがオンされているかによって画面をタッチしたユーザを識別することが可能となる。
【００５６】
更に、ユーザが入力操作を行うための入力装置を複数用意しておき、各々のユーザが別の入力装置を使用することによって入力操作したユーザを識別するようにしてもよい。
【００５７】
以上のようにユーザ識別用センサ４２により、プリント注文を行う複数のユーザを自動で識別する場合には、それらのユーザが同時に画面をタッチした場合でも、その操作を検出することができるようにタッチパネル３８を複数の入力操作を同時検出可能なマルチタッチパネルとしておくのが好ましい。
【００５８】
また、複数のユーザのプリント注文を可能にする方法として、上記のようなユーザ識別用センサ４２を使用しない方法も考えられる。即ち、各ユーザが画面をタッチするとき、又は、タッチする前に、モニタ１２のユーザを指定する表示部分をタッチしておくことようにすることも可能である。例えば、モニタ１２の画面に「Ａさん」、「Ｂさん」、「Ｃさん」のようなユーザ名を付したボタンを表示しておく。各ユーザは各々、自分をどのユーザ名とするかを決めておき、自分のプリント注文用に画面を操作するときに、その操作と同時に、又は、その操作前に、自分のユーザ名のボタンをタッチすればよい。
【００５９】
このように複数のユーザによる画面の操作を識別可能にし、各ユーザが各々自分のプリント注文をとしてプリントする撮影画像を選択することができるようにした場合に図４のような画像選択画面には、プリントする画像として選択したユーザが分かるように表示される。例えば、画像選択画面の一部を拡大した図５に示すように、各撮影画像５０、５０の下部などに、各撮影画像を各ユーザが選択したか否かを表示するチェックボックス５２、５２、…をユーザ名（Ａさん、Ｂさん、Ｃさん等）と共に表示するようにしてもよい。また、いずれかのユーザがプリント指定した撮影画像はプリント指定されていない撮影画像のフレームと異なる色で表示し、そのフレームの色をプリント指定したユーザに割り当てられた色としてもよい。この場合に、複数のユーザが同じ撮影画像をプリント指定した場合には、例えば、それられのユーザに対応した複数の色で多重のフレームを表示すればよい。
【００６０】
次に、上記のように複数のユーザが各々自分のプリント注文としてプリントする撮影画像を選択できるようにした場合における、図３のプリント（ステップＳ１６）の処理に関する実施の形態について説明する。
【００６１】
複数のユーザが各々自分のプリント注文としてプリントする撮影画像を選択した場合に、それらが区別されることなくプリントされると、ユーザが出来上がったプリントを受け取った後、各ユーザに仕分ける作業を行う必要となる。そこで、本実施の形態では、複数のユーザによって入力されたプリント注文情報を別のユーザの注文情報として扱い、ユーザ数に応じて注文数を変更する。例えば、プリント注文装置１０のＣＰＵ３０は、複数のユーザによりプリントする撮影画像の選択が行われた場合に、それらの撮影画像をプリンタ１６に出力する際に、ユーザごとに分割して順に出力する。これにより、ユーザが仕分け作業を行う必要がなくなる。
【００６２】
また、プリントの料金の支払いに関しても、全員の分を一括して支払うか、ユーザごとに自分の分を支払うかをモニタ１２の注文案内画面で指定できるようにしてもよい。
【００６３】
更に、プリント注文情報の入力が確定した場合、又は、入力過程において、ユーザごとにその内容（プリント指定した撮影画像の数、プリント総枚数、合計金額）を表示するようにしてもよい。
【００６４】
次に、上記のように複数のユーザが各々自分のプリント注文としてプリントする撮影画像を選択できるようにした場合における、図３の商材選択（ステップＳ１４）の処理の実施の形態について説明する。
【００６５】
例えば通常のフォト用紙に各ユーザがプリント指定した撮影画像をプリントする場合だけでなく、プレーム画像（テンプレート画像）と合成して撮影画像をプリントするサービス（フレームプリント）や、プリント指定した撮影画像でカレンダーを作るサービス、プリント指定した撮影画像でアルバム（フォトブック）を作成するサービス等があり、各ユーザごとにそれらのサービスを選択できるようにすることが考えられる。
【００６６】
例えば、モニタ１２の画面において、図６のように、「フレームプリント」、「カレンダー」、「アルバム」というサービス名が付されたボタン６０Ａ、６０Ｂ、６０Ｃを有するサービス選択画面が表示される。各ユーザは、自分が希望するサービスのボタンをタッチすることによって、そのサービスを選択することが可能であり、その選択に続いて、そのサービスに応じた注文情報を入力するための案内画面が表示される。
【００６７】
例えば、Ａさん、Ｂさん、Ｃさんが各々自分のプリント注文情報としてプリントする撮影画像を選択したものとする。そのうち、Ｂさんだけがフレームプリントを希望したとすると、Ｂさんのみが「フレームプリント」と付されたボタンにタッチする。これにより、Ｂさんのみがフレームプリントのサービスを選択したと判断される。このように、サービスを選択する操作を行ったユーザがそのサービスを選択したものと判断される。
【００６８】
そして、Ｂさんのみがフレームプリントのサービスを選択したとすると、続いて、フレームプリントに必要な注文情報を入力するためのフレームプリント編集画面が表示され、フレーム画像（テンプレート画像）の選択やレイアウトの調整などを行う。このとき、プリント注文装置１０は、そのサービスを選択したＢさんのみの操作を有効とし、他のユーザによる操作を無効とする。これにより、現在の注文案内画面の入力が、そのサービスを選択したユーザ以外にユーザが誤って操作してしまう不具合が防止される。
【００６９】
尚、図６のサービスを選択するサービス選択画面において、複数のユーザが同じサービスのボタンをタッチした場合には、そのサービスの注文案内画面において、それらの複数のユーザの操作を有効にしてもよい。
【００７０】
また、あるユーザが所定のサービスを選択し、そのサービスに固有の注文情報を入力する注文案内画面がモニタ１２に表示された場合において、そのサービスを選択したユーザのみが操作できるようにするのではなく、他のユーザも操作可能とし、サービスを選択したユーザの操作を最優先させるようにしてもよい。例えば、サービスを選択したユーザの操作に反する操作を他のユーザが行った場合には、その操作を無効とし、そうでない場合には、他のユーザが行った操作を有効としてもよい。
【００７１】
また、選択されたサービスの注文案内画面において、一部の操作のみ他のユーザが行えるようにしてもよい。例えば、フレームプリントにおいて、画像選択、テンプレートの選択など重要な操作に関してはサービスを選択したユーザのみが操作できるようにし、他の操作に関しては他のユーザも操作できるようにしてもよい。
【００７２】
次に、上記のように商材選択（ステップＳ１４）において、複数のユーザが詳細な注文情報の入力が必要なサービスを選択した場合の実施の形態について説明する。に、複数のユーザが通常のプリントではなく、詳細な注文情報の入力が必要なサービスを選択した場合、それらのユーザが順にその入力を行うと時間を要する。例えば、アルバム（フォトブック）の作成は、例えば数十ページの編集が必要で、複数のユーザが順に行うと相当な時間がかかる。そこで、本実施の形態では、最初にユーザが使用したプリント注文装置１０の近くに配置された他のプリント注文装置の空き状況を確認し、もし、空き（不使用）のプリント注文装置があれば、アルバムの作成のような時間を要する特定のサービスを選択した複数のユーザを初期のプリント注文装置１０と空きのプリント注文装置と合わせた台数分（最大でその特定のサービスを選択したユーザ数）で分割し、できるだけ多くのプリント注文装置を使用して各ユーザが注文情報の入力を並行して行えるようにする。そのとき、初期のプリント注文装置１０以外のプリント注文装置で注文情報の入力を行うユーザに関しては、それまでに入力したプリント注文情報や撮影画像の情報を、そのユーザが使用するプリント注文装置に転送する。
【００７３】
図７は、ＡさんとＢさんの二人のユーザが特定のサービスを選択した場合の一連の操作を例示した図である。まず、同図（Ａ）に示すように、ＡさんとＢさんは、同一のメディアを一台のプリント注文装置１０（初期のプリント注文装置）に装填して、プリント注文の受付けを開始する。そして、同図（Ｂ）に示すようにそのプリント注文装置１０で、通常のプリント（ＤＳＣプリント等）のための注文情報の入力操作を行う。続いて、商材選択においてアルバム作成などの特定のサービスをＡさんとＢさんが選択したとすると、初期のプリント注文装置１０は、他のプリント注文装置を空き状況を確認し、もし、空いているプリント注文装置があれば、そのうちの一台のプリント注文装置１０′に、例えばＢさんがそれまで入力したプリント注文情報を送信する。そして、同図（Ｃ）に示すように、Ａさんは、初期のプリント注文装置１０を使用して、Ｂさんは、別のプリント注文装置１０′を使用して、選択した特定のサービスに関する注文情報を入力する。その入力が終了すると、プリント注文装置１０′でＢさんが入力した注文情報を初期のプリント注文装置１０に転送し、同図（Ｄ）に示すように初期のプリント注文装置１０でＡさんとＢさんのその後の必要な操作を受け付け、注文の確定を行う。
【００７４】
以上のように複数台のプリント注文装置を使用することで注文時間を短縮することができる。
【００７５】
次に、操作取消しに関する実施の形態について説明する。複数のユーザのうち、所定のユーザが入力操作中に他のユーザが割り込んで操作した場合に、その割り込んだ他のユーザの操作を全て取り消すことができるようにすると好適である。そこで、本実施の形態では、例えば、画面を操作したユーザをユーザ識別用センサ４２により識別する。また、各ユーザの操作履歴を保持しておく。
【００７６】
そして、例えば、画像選択画面での操作のように、Ａさんが操作している途中で、Ｂさんが操作に割り込んだとする。そして、画面上の「直前の操作を取り消す」と付されたボタンをＢさんがタッチすると、Ｂさんの直前の操作が取り消されるようにする。もし、このボタンをＢさんが連続してタッチした場合には、Ｂさんの全ての操作が取り消される。Ａさんが「直前の操作を取り消す」と付されたボタンをタッチした場合にはＡさんの直前の操作が取り消される。このようにユーザ単位で操作を取り消すようにしておくと、便利である。
【００７７】
また、この操作取消しの処理によれば、ユーザが操作途中で操作を店員に問い合わせた場合に、店員は、操作を説明するためにユーザが使用しているプリント注文装置１０でデモンストレーションを行い、説明後、店員が行った操作を全て取り消してユーザの操作途中の状態に戻すことができる。
【００７８】
以上、上記実施の形態のように複数のユーザのプリント注文を可能にした場合に、ユーザごとに、注文案内画面を切り替えるようにしてもよい。
【００７９】
また、プリント注文者に対してではなく店員向けのシステムにおいても上記実施の形態と同様に複数ユーザの操作を可能にすると便利である。例えば、年賀状プリントなど複雑な合成プリントを作成するシステムにおいて、二台のＰＣを使って二人で作業するよりも、複数ユーザの操作に対応している１台のＰＣを使って二人で作業する方が効率が良い可能性がある。例えば、店員Ａは、画像の取込みと、色補正（ＣＭＹＤ）の作業を実施し、店員Ｂは、色補正後の画像の合成、文字入力の作業を行う。このような作業を一台のＰＣで行えるようにするとお互いの作業が見えるので、人為的なミスの低減が図れる。
【００８０】
また、上記実施の形態では、撮影画像が記録保存されているメディアをプリント注文装置１０に直接装着し、又は、そのメディアを装填しているデジタルカメラ等をプリント注文装置１０に接続することによって、ユーザが選択する撮影画像をプリント装置１０に読み込むようにしたが、これに限らない。例えば、図８のようにインターネットを通じて、プリント注文装置１０、１０、…、パソコン１００、１００、…、携帯電話…１０２、１０２、…、ファイルサーバ１０４等が接続されるシステムにおいて、ユーザは自宅のパソコン１０２を使用してデジタルカメラやカメラ付き携帯電話等で撮影した画像をファイルサーバ１０４に送信し、又は、カメラ付き携帯電話で撮影した画像をファイルサーバ１０４に送信し、ファイルサーバ１０４にその画像をオンラインアルバムとして保存しておくことが考えられる。このような場合に、プリント注文装置１０において、ファイルサーバ１０４の画像をインターネットを通じて取り込み、取り込んだ画像の中から、プリントする画像を選択するということも可能である。
【００８１】
また、上記実施の形態では、プリントする画像（撮影）を選択するプリント注文装置に本発明を適用した場合について説明したが、本発明は、任意の処理の処理対象とする画像を選択する画像処理装置において複数のユーザが一台の装置で画像を選択できるようにする場合に適用できる。
【図面の簡単な説明】
【００８２】
【図１】本発明が適用されたプリント注文装置の実施の形態を示す外観図。
【図２】本発明が適用されたプリント注文装置の信号処理系のブロック図。
【図３】本発明が適用されたプリント注文装置でのプリント注文の一連の手順を例示したフローチャート。
【図４】画像選択画面を例示した図。
【図５】画像選択画面の一部を拡大して例示した図。
【図６】サービス選択画面を例示した図。
【図７】二人のユーザが特定のサービスを選択した場合の一連の操作を例示した図。
【図８】ファイルサーバに保存されている画像をプリント注文装置で注文できるようにしたシステムを例示したシステム構成図。
【符号の説明】
【００８３】
１０…プリント注文装置、１２…モニタ、１４Ａ〜１４Ｆ…スロット、１６…プリンタ、３０…ＣＰＵ、３２…システムメモリ、３８…タッチパネル、４０…タッチパネル制御部、４２…ユーザ識別用センサ、
【図１】
2009244725.tif 000003
【図２】
2009244725.tif 000004
【図３】
2009244725.tif 000005
【図４】
2009244725.tif 000006
【図５】
2009244725.tif 000007
【図６】
2009244725.tif 000008
【図７】
2009244725.tif 000009
【図８】
2009244725.tif 000010